(57)【特許請求の範囲】
【請求項１】
操作指示の入力のために押下される指示画像を１又は複数表示する表示部と、
前記指示画像の押下を検知する押下検知部と、
前記押下検知部により前記指示画像の押下の検知が継続されている押下時間を検出する押下時間検出部と、
前記押下検知部による前記指示画像の押下の検知に基づいて前記表示部への振動の付与を開始し、前記押下が検知された前記指示画像の種類及び前記押下時間に基づいて前記振動の振幅を調整する振動駆動部と、
を備え、
前記振動駆動部は、前記押下が検知された前記指示画像が、前記押下時間に応じて入力値を変化させる操作指示の入力のために押下される指示画像である場合、前記押下時間が所定の基準時間よりも短い間は前記振動の振幅を０にし、前記押下時間が前記基準時間になると、前記振動の振幅を所定の振幅にし、前記押下時間が前記基準時間を超えると、前記押下時間が長くなるほど、前記振動の振幅を所定の増大率で増大させる又は前記振動の振幅を所定の減少率で減少させ、
前記押下検知部により各前記指示画像の押下が検知された頻度を記憶する頻度記憶部と、
前記押下検知部により前記指示画像の押下が検知された場合に、前記頻度記憶部に記憶されている当該指示画像の前記頻度を更新する頻度更新部と、
前記頻度記憶部に記憶されている前記頻度と、前記振動の振幅を更新する更新度合と、を対応付けて記憶する記憶部と、
を更に備え、
前記頻度に対応付けられた前記更新度合は、当該頻度が大きくなるほど大きくなるように定められ、
前記振動駆動部は、前記押下が検知された前記指示画像が、前記押下時間に応じて入力値を変化させる操作指示の入力のために押下される指示画像である場合、前記押下時間が前記基準時間のときの前記振動の振幅を、前記頻度記憶部に記憶されている当該指示画像の押下が検知された頻度と対応付けて前記記憶部に記憶されている前記更新度合と、前記所定の振幅と、の積に更新し、前記押下時間が前記基準時間を超えると、前記押下時間が長くなるほど、前記振動の振幅を前記増大率と同じ増大率で増大させる又は前記振動の振幅を前記減少率と同じ減少率で減少させる表示制御装置。
【請求項２】
前記押下検知部による前記指示画像の押下の検知に基づいて警告音の出力を開始し、前記押下が検知された前記指示画像の種類及び前記押下時間に基づいて前記警告音の音量を調整する警告音報知部を更に備える請求項１に記載の表示制御装置。
【請求項３】
操作指示の入力のために押下される指示画像を１又は複数表示する表示部と、
前記指示画像の押下を検知する押下検知部と、
前記押下検知部により前記指示画像の押下の検知が継続されている押下時間を検出する押下時間検出部と、
前記押下検知部による前記指示画像の押下の検知に基づいて警告音の出力を開始し、前記押下が検知された前記指示画像の種類及び前記押下時間に基づいて前記警告音の音量を調整する警告音報知部と、
を備え、
前記警告音報知部は、前記押下が検知された前記指示画像が、前記押下時間に応じて入力値を変化させる操作指示の入力のために押下される指示画像である場合、前記押下時間が所定の基準時間よりも短い間は前記警告音の音量を０にし、前記押下時間が前記基準時間になると、前記警告音の音量を所定の音量にし、前記押下時間が前記基準時間を超えると、前記押下時間が長くなるほど、前記警告音の音量を所定の増大率で増大させる又は前記警告音の音量を所定の減少率で減少させ、
前記押下検知部により各前記指示画像の押下が検知された頻度を記憶する頻度記憶部と、
前記押下検知部により前記指示画像の押下が検知された場合に、前記頻度記憶部に記憶されている当該指示画像の前記頻度を更新する頻度更新部と、
前記頻度記憶部に記憶されている前記頻度と、前記警告音の音量を更新する更新度合と、を対応付けて記憶する記憶部と、
を更に備え、
前記頻度に対応付けられた前記更新度合は、当該頻度が大きくなるほど大きくなるように定められ、
前記警告音報知部は、前記押下が検知された前記指示画像が、前記押下時間に応じて入力値を変化させる操作指示の入力のために押下される指示画像である場合、前記押下時間が前記基準時間のときの前記警告音の音量を、前記頻度記憶部に記憶されている当該指示画像の押下が検知された頻度と対応付けて前記記憶部に記憶されている前記更新度合と、前記所定の音量と、の積に更新し、前記押下時間が前記基準時間を超えると、前記押下時間が長くなるほど、前記警告音の音量を前記増大率と同じ増大率で増大させる又は前記警告音の音量を前記減少率と同じ減少率で減少させる表示制御装置。
【請求項４】
請求項１から３の何れか一項に記載の表示制御装置と、
前記押下検知部により前記指示画像の押下が検知された場合に、当該指示画像が示す操作指示を受け付ける指示受付部と、
を備える電子機器。
【発明の詳細な説明】
【技術分野】
【０００１】
本発明は、表示制御装置及び当該表示制御装置を備えた電子機器に関し、特に、ユーザーに操作内容を認識させる技術に関する。
【背景技術】
【０００２】
従来から、タッチパネルを備えた電子機器が知られている。例えば、下記特許文献１には、ＬＣＤ（液晶ディスプレイ）上にタッチパネルを設置した操作表示装置が記載されている。この操作表示装置には、タッチパネルに振動を与える駆動部材と、ブザー音を報知するブザーと、が設けられている。そして、操作者が操作画面内において予めタッチ操作（選択操作）が禁止されている領域（選択禁止領域）をタッチ操作した場合、駆動部材はタッチパネルに振動を与え、これとともに、ブザーはブザー音を報知することが記載されている。
【先行技術文献】
【特許文献】
【０００３】
【特許文献１】特開２００６−１８５８２号公報
【発明の概要】
【発明が解決しようとする課題】
【０００４】
上記従来技術では、ユーザーは、選択禁止領域をタッチ操作した場合に、タッチパネルの振動及びブザー音によって禁止されているタッチ操作を行ったことを認識することができる。しかし、ユーザーが、操作指示の入力のために押下されるソフトキー等、予めタッチ操作することが許可されている領域をタッチ操作したとする。この場合、ユーザーは、当該タッチ操作によって受け付けられた操作指示に応じて操作画面が切り替えて表示される等して、表示内容が異なったことを認識しない限り、どのような操作指示の入力を行ったのかを認識することはできなかった。
【０００５】
また、例えば「＋」キーや「−」キーを含む操作画面を表示し、「＋」キーや「−」キーがタッチ操作され続けている時間に応じて、印刷部数等の入力値を増減させる操作指示を受け付け可能なコピー機等の画像形成装置が知られている。このような画像形成装置に上記従来技術を適用し、上記「＋」キー等のように、タッチ操作の継続時間に応じて入力値を変化させる操作指示を示すソフトキーをユーザーがタッチ操作したとする。この場合、ユーザーは、当該ソフトキーのタッチ操作を継続している間、操作画面を視認して入力値の変化量を認識しない限り、入力値をどの程度変化させたのかを認識することはできなかった。
【０００６】
本発明は、上記の問題を解決するためになされたものであり、入力した操作指示の種類及び入力した操作指示に応じて入力値を変化させた量を、ユーザーに容易に認識させることができる表示制御装置及び電子機器を提供することを目的とする。
【課題を解決するための手段】
【０００７】
本発明による表示制御装置は、操作指示の入力のために押下される指示画像を１又は複数表示する表示部と、前記指示画像の押下を検知する押下検知部と、前記押下検知部により前記指示画像の押下の検知が継続されている押下時間を検出する押下時間検出部と、前記押下検知部による前記指示画像の押下の検知に基づいて前記表示部への振動の付与を開始し、前記押下が検知された前記指示画像の種類及び前記押下時間に基づいて前記振動の振幅を調整する振動駆動部と、を備え、前記振動駆動部は、前記押下が検知された前記指示画像が、前記押下時間に応じて入力値を変化させる操作指示の入力のために押下される指示画像である場合、前記押下時間が所定の基準時間よりも短い間は前記振動の振幅を０にし、前記押下時間が前記基準時間になると、前記振動の振幅を所定の振幅にし、前記押下時間が前記基準時間を超えると、前記押下時間が長くなるほど、前記振動の振幅を所定の増大率で増大させる又は前記振動の振幅を所定の減少率で減少させ、前記押下検知部により各前記指示画像の押下が検知された頻度を記憶する頻度記憶部と、前記押下検知部により前記指示画像の押下が検知された場合に、前記頻度記憶部に記憶されている当該指示画像の前記頻度を更新する頻度更新部と、前記頻度記憶部に記憶されている前記頻度と、前記振動の振幅を更新する更新度合と、を対応付けて記憶する記憶部と、を更に備え、前記頻度に対応付けられた前記更新度合は、当該頻度が大きくなるほど大きくなるように定められ、前記振動駆動部は、前記押下が検知された前記指示画像が、前記押下時間に応じて入力値を変化させる操作指示の入力のために押下される指示画像である場合、前記押下時間が前記基準時間のときの前記振動の振幅を、前記頻度記憶部に記憶されている当該指示画像の押下が検知された頻度と対応付けて前記記憶部に記憶されている前記更新度合と、前記所定の振幅と、の積に更新し、前記押下時間が前記基準時間を超えると、前記押下時間が長くなるほど、前記振動の振幅を前記増大率と同じ増大率で増大させる又は前記振動の振幅を前記減少率と同じ減少率で減少させる。
【０００８】
この構成によれば、ユーザーが操作指示の入力のために指示画像を押下したとき、当該押下の検知に基づいて、表示部が振動される。このため、ユーザーは、当該指示画像が示す操作指示の入力に応じて操作画面が切り替えて表示される等して、表示内容が異なったことを認識しなくても、どの指示画像を押下したのか、つまり、どの操作指示の入力を行ったのかを容易に認識することができる。
【０００９】
また、押下した指示画像の種類及び押下時間に基づいて、表示部へ付与される振動の振幅が調整される。このため、ユーザーの押下した指示画像が、押下時間に応じて入力値を変化させる操作指示を入力するために押下される指示画像であった場合、入力した操作指示に応じて入力値を変化させた量を、表示部の振動度合に基づいて容易に認識することができる。
【００１１】
この構成によれば、ユーザーは、押下時間に応じて入力値を変化させる操作指示を入力するために押下される指示画像を押下し続けている場合に、表示部の振動度合の変化によって、押下時間を容易に認識することができる。これにより、ユーザーは、認識した押下時間に応じて、どの程度入力値を変化させたのかを容易に認識することができる。
【００１３】
この構成によれば、指示画像を押下する頻度が高くなるほど、押下時間が基準時間であるときに表示部へ付与される振動の振幅が大きくなる。このため、ユーザーは、入力頻度が高い操作指示の入力を行ったことを認識し易くなる。
【００１４】
また、前記押下検知部による前記指示画像の押下の検知に基づいて警告音の出力を開始し、前記押下が検知された前記指示画像の種類及び前記押下時間に基づいて前記警告音の音量を調整する警告音報知部を更に備えてもよい。
【００１５】
または、本発明による表示制御装置は、操作指示の入力のために押下される指示画像を１又は複数表示する表示部と、前記指示画像の押下を検知する押下検知部と、前記押下検知部により前記指示画像の押下の検知が継続されている押下時間を検出する押下時間検出部と、前記押下検知部による前記指示画像の押下の検知に基づいて警告音の出力を開始し、前記押下が検知された前記指示画像の種類及び前記押下時間に基づいて前記警告音の音量を調整する警告音報知部と、を備え、前記警告音報知部は、前記押下が検知された前記指示画像が、前記押下時間に応じて入力値を変化させる操作指示の入力のために押下される指示画像である場合、前記押下時間が所定の基準時間よりも短い間は前記警告音の音量を０にし、前記押下時間が前記基準時間になると、前記警告音の音量を所定の音量にし、前記押下時間が前記基準時間を超えると、前記押下時間が長くなるほど、前記警告音の音量を所定の増大率で増大させる又は前記警告音の音量を所定の減少率で減少させ、前記押下検知部により各前記指示画像の押下が検知された頻度を記憶する頻度記憶部と、前記押下検知部により前記指示画像の押下が検知された場合に、前記頻度記憶部に記憶されている当該指示画像の前記頻度を更新する頻度更新部と、前記頻度記憶部に記憶されている前記頻度と、前記警告音の音量を更新する更新度合と、を対応付けて記憶する記憶部と、を更に備え、前記頻度に対応付けられた前記更新度合は、当該頻度が大きくなるほど大きくなるように定められ、前記警告音報知部は、前記押下が検知された前記指示画像が、前記押下時間に応じて入力値を変化させる操作指示の入力のために押下される指示画像である場合、前記押下時間が前記基準時間のときの前記警告音の音量を、前記頻度記憶部に記憶されている当該指示画像の押下が検知された頻度と対応付けて前記記憶部に記憶されている前記更新度合と、前記所定の音量と、の積に更新し、前記押下時間が前記基準時間を超えると、前記押下時間が長くなるほど、前記警告音の音量を前記増大率と同じ増大率で増大させる又は前記警告音の音量を前記減少率と同じ減少率で減少させてもよい。
【００１６】
これらの構成によれば、ユーザーが操作指示の入力のために指示画像を押下したとき、当該押下の検知に基づいて、警告音の出力が開始される。このため、ユーザーは、当該指示画像が示す操作指示の入力に応じて操作画面が切り替えて表示される等して、表示内容が異なったことを認識しなくても、どの指示画像を押下したのか、つまり、どの操作指示の入力を行ったのかを容易に認識することができる。
【００１７】
また、押下した指示画像の種類及び押下時間に基づいて、警告音の音量が調整される。このため、ユーザーの押下した指示画像が、押下時間に応じて入力値を変化させる操作指示を入力するために押下される指示画像であった場合、入力した操作指示に応じて入力値を変化させた量を、警告音の音量に基づいて容易に認識することができる。
【００１９】
この構成によれば、ユーザーは、押下時間に応じて入力値を変化させる操作指示を入力するために押下される指示画像を押下し続けている場合に、警告音の音量の変化によって、押下時間を容易に認識することができる。これにより、ユーザーは、認識した押下時間に応じて、どの程度入力値を変化させたのかを容易に認識することができる。
【００２１】
この構成によれば、指示画像を押下する頻度が高くなるほど、押下時間が基準時間であるときに出力される警告音の音量が大きくなる。このため、ユーザーは、入力頻度が高い操作指示の入力を行ったことを認識し易くなる。
【００２２】
本発明による電子機器は、前記表示制御装置と、前記押下検知部により前記指示画像の押下が検知された場合に、当該指示画像が示す操作指示を受け付ける指示受付部と、を備える。
【００２３】
この構成によれば、電子機器は上記の表示制御装置を備えているので、ユーザーは、電子機器に対して入力した操作指示の種類及び入力した操作指示に応じて入力値を変化させた量を容易に認識することができる。
【発明の効果】
【００２４】
この発明によれば、表示制御装置及び電子機器において、入力した操作指示の種類及び入力した操作指示に応じて入力値を変化させた量を、ユーザーに容易に認識させることができる。
【図面の簡単な説明】
【００２５】
【図１】本発明に係る電子機器の一例である複合機の概略構成図である。
【図２】本発明の表示制御装置の一実施形態に係る表示制御装置の電気的構成を示すブロック図である。
【図３】（ａ）は、表示装置の概略断面図であり、（ｂ）は、上方から見た表示装置の外観図である。
【図４】（ａ）は、複合機の機能を選択操作するための操作画面の一例を示す説明図であり、（ｂ）は、印刷部数を入力するための操作画面の一例を示す説明図である。
【図５】調整情報記憶部に記憶されている調整情報の一例を示す説明図である。
【図６】各ソフトキーの押下が検知された頻度の一例を示す説明図である。
【図７】頻度記憶部に記憶されている累積回数と、警告音の音量及び振動の振幅の更新度合と、の関係の一例を示す説明図である。
【図８】（ａ）〜（ｃ）は、それぞれ、各ソフトキーの押下が検知された頻度に応じて調整した後の警告音の音量及び振動の振幅の一例を示す説明図である。
【図９】頻度記憶部に記憶されている累積回数と、警告音の音量及び振動の振幅の更新度合と、の関係の図７とは別の一例を示す説明図である。
【図１０】調整情報記憶部に記憶されている調整情報の図５とは別の一例を示す説明図である。
【発明を実施するための形態】
【００２６】
（第１実施形態）
以下、本発明に係る電子機器の一実施形態を図面に基づいて説明する。図１は、本発明に係る電子機器の一例である複合機１の概略構成図である。図１に示すように、複合機１は、原稿読取部５と、原稿給送部６と、本体部８と、操作部７と、を備えている。
【００２７】
原稿読取部５は、本体部８の上部に配設されている。原稿読取部５は、露光ランプ及びＣＣＤ（Charge Coupled Device）等からなるスキャナー部５１と、ガラス等の透明部材により構成された原稿台５２及び原稿読取スリット５３と、を備えている。
【００２８】
スキャナー部５１は、図略の駆動部によって移動可能に構成され、原稿台５２に載置された原稿を読み取るときは、原稿台５２に対向する位置で原稿面に沿って移動され、原稿画像を走査しつつ取得した画像データを後述の制御部１０へ出力する。また、原稿給送部６により給送された原稿を読み取るときは、原稿読取スリット５３と対向する位置に移動され、原稿読取スリット５３を介して原稿給送部６による原稿の搬送動作と同期して原稿の画像を取得し、その画像データを後述の制御部１０へ出力する。
【００２９】
原稿給送部６は、原稿読取部５の上方に配設されている。原稿給送部６は、原稿を載置するための原稿載置部６１と、画像読み取り済みの原稿を排出するための原稿排出部６２と、原稿載置部６１に載置された原稿を１枚ずつ繰り出して原稿読取スリット５３に対向する位置へ搬送し、原稿排出部６２へ排出する原稿搬送機構６３と、を備えている。
【００３０】
本体部８は、複数の給紙カセット４６１と、給紙カセット４６１又は手差しトレイ４６２から用紙を１枚ずつ繰り出して画像形成部４へ搬送する給紙ローラー４１２と、搬出されてきた用紙に画像を形成する画像形成部４と、画像が形成された用紙が排出されるスタックトレイ４７及び排出トレイ４８と、を備えている。更に、本体部８の内部には、通信部９と、制御部１０と、が設けられている。
【００３１】
画像形成部４は、用紙搬送部４１と、光走査装置４２と、感光体ドラム４３と、現像部４４と、転写部４５と、定着部４６と、を備えている。
【００３２】
用紙搬送部４１は、画像形成部４内の用紙搬送路中に設けられ、給紙ローラー４１２によって搬送されてきた用紙を感光体ドラム４３に供給する搬送ローラー４１３や、用紙をスタックトレイ４７まで搬送する搬送ローラー４１４や、用紙を排出トレイ４８まで搬送する搬送ローラー４１５等を備えている。
【００３３】
光走査装置４２は、制御部１０に入力された画像データに基づいてレーザー光を出力する。光走査装置４２は、このレーザー光によって感光体ドラム４３を走査することで、感光体ドラム４３上に静電潜像を形成する。
【００３４】
現像部４４は、感光体ドラム４３上の静電潜像にトナーを付着させてトナー像を形成する。転写部４５は、感光体ドラム４３上のトナー像を用紙に転写する。定着部４６は、トナー像が転写された用紙を加熱してトナー像を用紙に定着させる。
【００３５】
操作部７は、各種情報を表示する表示装置７１と、ユーザーに各種操作指示の入力を行わせるための操作キー部７２と、音声を出力するスピーカー７６と、を備えている。
【００３６】
通信部９は、ＬＡＮ（Ｌｏｃａｌ  Ａｒｅａ  Ｎｅｔｗｏｒｋ）等のネットワークや電話回線に接続され、パソコンやファクシミリ装置等の外部装置との間で通信を行う。例えば、通信部９は、電話回線を介して、原稿読取部５によって読み取られた画像データを他のファクシミリ装置へ送信したり、他のファクシミリ装置から送信されてきた画像データを受信する。また、通信部９は、ネットワークを介して、原稿読取部５によって読み取られた画像データを外部装置へ送信したり、外部装置から送信されてきた画像データを受信する。
【００３７】
制御部１０は、原稿読取部５、原稿給送部６、画像形成部４、操作部７、及び通信部９に接続され、これら各部の動作の制御を司る。尚、制御部１０及び操作部７は、本発明の表示制御装置の一実施形態に係る表示制御装置１００を構成する。
【００３８】
制御部１０は、例えば、ＣＰＵ（Ｃｅｎｔｒａｌ  Ｐｒｏｃｅｓｓｉｎｇ  Ｕｎｉｔ）、ＣＰＵによって実行される種々のプログラムやその実行に必要なデータ、ＬＣＤ７４に表示する画像等を予め記憶するＲＯＭ（Ｒｅａｄ  Ｏｎｌｙ  Ｍｅｍｏｒｙ）、ＣＰＵのいわゆるワーキングメモリとなるＲＡＭ（Ｒａｎｄｏｍ  Ａｃｃｅｓｓ  Ｍｅｍｏｒｙ）、時間を計時するタイマー回路及びこれらの周辺回路を備えている。
【００３９】
以下、表示制御装置１００について詳述する。図２は、本発明の表示制御装置の一実施形態に係る表示制御装置１００の電気的構成を示すブロック図である。図３（ａ）は、表示装置７１の概略断面図であり、図３（ｂ）は、上方（図３（ａ）に示す＋Ｚ方向）から見た表示装置７１の外観図である。
【００４０】
図２に示すように、操作部７は、上記のように、表示装置７１と、操作キー部７２と、スピーカー７６と、を備えている。表示装置７１は、図３（ａ）に示すように、上方（図３（ａ）における＋Ｚ方向）から順に、タッチパネル７３と、液晶ディスプレイ（以下、ＬＣＤ（Ｌｉｑｕｉｄ  Ｃｒｙｓｔａｌ  Ｄｉｓｐｌａｙ））７４（表示部）と、振動素子７５と、が積層されて構成されている。
【００４１】
タッチパネル７３は、例えば、静電容量方式のセンサーを有している。尚、タッチパネル７３は、静電容量方式のセンサーを有する構成に限らず、例えば抵抗膜方式のセンサーを有する構成であってもよい。タッチパネル７３は、上記センサーを用いて座標検出部７３ａとして機能する。座標検出部７３ａは、ユーザーがタッチパネル７３の表面をタッチした場合に、上記センサーを用いて静電容量に変化が見られた位置を検出する。そして、座標検出部７３ａは、検出した位置を図３（ｂ）に示すＸ方向及びＹ方向の二次元座標で示す検出信号を制御部１０へ出力する。
【００４２】
ＬＣＤ７４は、不図示の液晶パネルとバックライトとを備えている。液晶パネルには、画素毎に所定の方向を向いた複数の液晶が配置されている。バックライトは、例えばＬＥＤ（Ｌｉｇｈｔ  Ｅｍｉｔｔｉｎｇ  Ｄｉｏｄｅ）により構成され、液晶パネルの下方側（図３（ａ）の−Ｚ方向側）に設けられている。
【００４３】
液晶パネルの各液晶に印加される電界は、後述の表示制御部１１により調整される。バックライトは、後述の表示制御部１１による制御の下、液晶パネルの下方側から液晶パネルの全面を照明する。つまり、各液晶がバックライトからの照明光を透過若しくは遮断させることで、各液晶に対応する各画素からなる画像が液晶パネルの表面に表示される。
【００４４】
振動素子７５は、例えば、ピアゾ素子等の圧電素子で構成されている。振動素子７５は、図３（ｂ）に示すように、ＬＣＤ７４の下方側（図３（ａ）の−Ｚ方向側）において、ＬＣＤ７４の４隅とＬＣＤ７４の上辺下辺それぞれの中央部の計６箇所に設けられている。振動素子７５は、後述の振動駆動部１６から電気信号（電流、電圧）が与えられると、当該電気信号の信号レベルに応じた振幅で上下方向（図３（ａ）におけるＺ方向）に振動し、ＬＣＤ７４へ振動を付与する。
【００４５】
操作キー部７２は、ユーザーに各種操作指示の入力を行わせるための各種ハードキーである。例えば、操作キー部７２には、ユーザーが各機能の実行開始指示を入力するためのスタートキーや、数字や記号等を入力するためのテンキー等のハードキーが含まれる。
【００４６】
スピーカー７６は、後述の警告音報知部１５から電気信号（電流、電圧）が与えられると、当該電気信号の信号レベルに応じた音量で、ビープ音等の所定の警告音を出力する。
【００４７】
制御部１０は、操作部７の動作を制御するために、特に、図２の実線部に示すように、表示制御部１１、押下検知部１２、押下時間検出部１３、指示受付部１４、警告音報知部１５、振動駆動部１６、及び調整情報記憶部１７として機能する。
【００４８】
表示制御部１１は、ＬＣＤ７４に各種情報を表す画像を表示する。具体的には、表示制御部１１は、ＬＣＤ７４に表示する対象の情報を表す画像をＲＯＭ等から取得する。表示制御部１１は、液晶パネルに供給する電気信号（電流又は電圧）を調整することにより、当該取得した画像の各画素に対応する各液晶に印加する電界の大きさを調整する。そして、表示制御部１１は、バックライトに所定レベルの電気信号（電流又は電圧）を供給することにより、液晶パネルの全面を所定の輝度で照明させる。これにより、ＬＣＤ７４に表示対象の情報を示す画像が表示される。
【００４９】
例えば、表示制御部１１は、操作指示の入力のために押下されるソフトキー（指示画像）が１又は複数配置された操作画面Ｗ１、Ｗ２を表す画像をＬＣＤ７４に表示する。
【００５０】
図４（ａ）は、複合機１の機能を選択操作するための操作画面Ｗ１の一例を示す説明図である。図４（ａ）に示すように、操作画面Ｗ１には、例えば、コピー機能の設定操作を行う指示を入力するためのソフトキーＴ１と、ファクシミリ送信機能の設定操作を行う指示を入力するためのソフトキーＴ２と、スキャナー機能の設定操作を行う指示を入力するためのソフトキーＴ３と、が配置されている。
【００５１】
尚、コピー機能とは、原稿読取部５及び／又は原稿給送部６を用いて原稿の画像を読み取らせ、当該読み取らせた画像を画像形成部４によって用紙に形成させる機能を示す。ファクシミリ送信機能とは、原稿読取部５及び／又は原稿給送部６を用いて原稿の画像を読み取らせ、当該読み取らせた画像を通信部９によって外部のファクシミリ装置へ送信させる機能を示す。スキャナー機能とは、原稿読取部５及び／又は原稿給送部６を用いて原稿の画像を読み取らせ、当該読み取らせた画像をＲＡＭ等に記憶したり、当該読み取らせた画像を通信部９によってパソコン等の外部装置へ送信する機能を示す。
【００５２】
図４（ｂ）は、印刷部数を入力するための操作画面Ｗ２の一例を示す説明図である。図４（ｂ）に示すように、操作画面Ｗ２には、例えば、印刷部数を表示し、且つ、操作キー部７２に備えられた不図示のテンキーや、後述のソフトキーＴ６、Ｔ７等によって、印刷部数を示す数値を入力可能なテキストボックスＢ１が配置されている。
【００５３】
また、操作画面Ｗ２には、ソフトキーＴ６、Ｔ７が配置されている。ソフトキーＴ６は、当該ソフトキーＴ６の押下が継続されている時間に応じて、テキストボックスＢ１に表示されている印刷部数の入力値を増加させる指示の入力のために押下される。一方、ソフトキーＴ７は、当該ソフトキーＴ７の押下が継続されている時間に応じて、テキストボックスＢ１に表示されている印刷部数の入力値を減少させる指示の入力のために押下される。
【００５４】
更に、操作画面Ｗ２には、印刷部数を、テキストボックスＢ１に表示されている入力値に確定する指示の入力のために押下されるソフトキーＴ４、及び、操作画面Ｗ２を表示する前の操作画面に切り替える指示の入力のために押下されるソフトキーＴ５が配置されている。
【００５５】
押下検知部１２は、座標検出部７３ａが出力した検出信号が示す座標位置に基づいて、操作画面に含まれるソフトキーが押下（タッチ操作）されたことを検知する。例えば、表示制御部１１が操作画面Ｗ１（図４（ａ））をＬＣＤ７４に表示している場合に、ユーザーがソフトキーＴ１を押下したとする。この場合、座標検出部７３ａ（図３）は、ソフトキーＴ１が表示されている領域内の座標位置を示す検出信号を出力する。このとき、押下検知部１２は、操作画面Ｗ１を表す画像をＲＯＭ等から取得し、当該検出信号が示す座標位置が、ソフトキーＴ１を表す画素に対応すると判断すると、ソフトキーＴ１が押下されたことを検知する。
【００５６】
押下時間検出部１３は、押下検知部１２によりソフトキーの押下の検知が継続されている押下時間を検出し、当該押下時間を示す検出信号を出力する。具体的には、押下時間検出部１３は、押下検知部１２がソフトキーの押下を検知すると、タイマー回路を用いて当該検知時点からの経過時間の計測を開始する。押下時間検出部１３は、押下検知部１２が当該ソフトキーの押下の検知を継続している間、計測中の時間を上記押下時間として、当該押下時間を示す検出信号を出力する。押下時間検出部１３は、押下検知部１２が当該ソフトキーの押下を検知しなくなると、上記経過時間の計測を終了し、検出信号の出力を終了する。
【００５７】
指示受付部１４は、押下検知部１２によりソフトキーの押下が検知された場合に、当該ソフトキーが示す操作指示を受け付ける。
【００５８】
例えば、表示制御部１１が操作画面Ｗ１（図４（ａ））をＬＣＤ７４に表示している場合に、押下検知部１２によりソフトキーＴ１の押下が検知されたとする。この場合、指示受付部１４は、ソフトキーＴ１が示すコピー機能の設定操作を行う指示を受け付ける。指示受付部１４は、コピー機能の設定操作を行う指示を受け付けると、コピー機能の設定操作を行うための操作画面を表示制御部１１に表示させる。
【００５９】
また、表示制御部１１が操作画面Ｗ２（図４（ｂ））をＬＣＤ７４に表示している場合に、押下検知部１２によりソフトキーＴ６の押下が検知されたとする。この場合、指示受付部１４は、当該ソフトキーＴ６の押下が継続されている時間に応じて、テキストボックスＢ１に表示された印刷部数の入力値を増加させる指示を受け付ける。指示受付部１４は、当該指示を受け付けると、テキストボックスＢ１に表示されている印刷部数の入力値を、ソフトキーＴ６の押下が継続されている時間が例えば１秒経過する度に１増加させて、当該増加後の入力値を表す画像を表示制御部１１に表示させる。つまり、ユーザーがソフトキーＴ６を押下してから１秒経過する度に、１増加された入力値を示す画像がテキストボックスＢ１に表示される。尚、入力値を表すための数字を表す画像は、予めＲＯＭ等に記憶されている。
【００６０】
一方、表示制御部１１が操作画面Ｗ２（図４（ｂ））をＬＣＤ７４に表示している場合に、押下検知部１２によりソフトキーＴ７の押下が検知されたとする。この場合、指示受付部１４は、当該ソフトキーＴ７の押下が継続されている時間に応じて、テキストボックスＢ１に表示された印刷部数の入力値を減少させる指示を受け付ける。指示受付部１４は、当該指示を受け付けると、テキストボックスＢ１に表示されている印刷部数の入力値を、ソフトキーＴ７の押下が継続されている時間が例えば１秒経過する度に１減少させて、当該減少後の入力値を表す画像を表示制御部１１に表示させる。つまり、ユーザーがソフトキーＴ７を押下してから１秒経過する度に、１減少された入力値を示す画像がテキストボックスＢ１に表示される。
【００６１】
また、表示制御部１１が操作画面Ｗ２（図４（ｂ））をＬＣＤ７４に表示している場合に、押下検知部１２によりソフトキーＴ４の押下が検知されたとする。この場合、指示受付部１４は、印刷部数を、テキストボックスＢ１に表示された入力値に確定する指示を受け付ける。指示受付部１４は、当該指示を受け付けると、テキストボックスＢ１に表示された入力値を印刷部数としてＲＡＭに記憶する。尚、制御部１０は、コピー機能を実行する制御を行う場合、ＲＡＭに記憶されている印刷部数を用いる。
【００６２】
一方、表示制御部１１が操作画面Ｗ２（図４（ｂ））をＬＣＤ７４に表示している場合に、押下検知部１２によりソフトキーＴ５の押下が検知されたとする。この場合、指示受付部１４は、操作画面Ｗ２を表示する前の操作画面に切り替える指示を受け付ける。指示受付部１４は、当該指示を受け付けると、印刷部数をテキストボックスＢ１に表示された入力値に変更せず、つまり、ＲＡＭに記憶されている印刷部数を変更せずに、操作画面Ｗ２を表示する前の操作画面を表示制御部１１に表示させる。
【００６３】
警告音報知部１５は、後述の調整情報記憶部１７に記憶されている調整情報を用い、押下検知部１２によるソフトキーの押下の検知に基づいて、スピーカー７６への電気信号の供給を開始する。これにより、警告音報知部１５は、スピーカー７６に警告音の出力を開始させる。また、警告音報知部１５は、調整情報を用いて、押下が検知されたソフトキーの種類、及び、当該押下が検知された場合に押下時間検出部１３により検出される押下時間に基づいて、スピーカー７６へ供給する電気信号の信号レベルを調整する。これにより、警告音報知部１５は、スピーカー７６に出力させる警告音の音量を調整する。
【００６４】
振動駆動部１６は、後述の調整情報記憶部１７に記憶されている調整情報を用い、押下検知部１２によるソフトキーの押下の検知に基づいて、振動素子７５への電気信号の供給を開始する。これにより、振動駆動部１６は、振動素子７５にＬＣＤ７４への振動の付与を開始させる。また、振動駆動部１６は、調整情報を用いて、押下が検知されたソフトキーの種類、及び、当該押下が検知された場合に押下時間検出部１３により検出される押下時間に基づいて、振動素子７５へ供給する電気信号の信号レベルを調整する。これにより、振動駆動部１６は、振動素子７５によってＬＣＤ７４へ付与させる振動の振幅を調整する。
【００６５】
調整情報記憶部１７は、例えばＲＡＭの一部の記憶領域により構成されている。調整情報記憶部１７には調整情報が記憶されている。調整情報とは、各ソフトキーの押下が検知された場合に押下時間検出部１３により検出される押下時間と、警告音報知部１５がスピーカー７６に出力させる警告音の音量及び振動駆動部１６が振動素子７５にＬＣＤ７４へ付与させる振動の振幅と、の関係を示す情報である。尚、調整情報は、予めＲＯＭ等に記憶されている。調整情報は、例えば複合機１の電源投入時等に制御部１０が行う初期化処理において、ＲＯＭから読み出された後、調整情報記憶部１７に記憶される。
【００６６】
図５は、調整情報記憶部１７に記憶されている調整情報の一例を示す説明図である。例えば、図５の実線部に示すように、調整情報記憶部１７には、ソフトキーＴ１〜Ｔ５の押下が検知された場合に検出される押下時間と、上記警告音の音量及び上記振動の振幅と、の関係を示す調整情報Ｄ１〜Ｄ５が記憶されている。
【００６７】
調整情報Ｄ１〜Ｄ５は、ソフトキーＴ１〜Ｔ５の押下が検知された場合、検出される押下時間が０を超えると、つまり、当該押下の検知後即座に、スピーカー７６に所定の音量Ｖ１で警告音を出力させるとともに、振動素子７５によって所定の振幅Ａ１の振動をＬＣＤ７４へ付与させることを示している。また、調整情報Ｄ１〜Ｄ５は、ソフトキーＴ１〜Ｔ５の押下が検知された場合に検出される押下時間によらず、警告音の音量及び振動の振幅を一定にすることを示している。
【００６８】
したがって、ソフトキーＴ１〜Ｔ５の押下が検知された場合、警告音報知部１５は、調整情報Ｄ１〜Ｄ５が示すように、当該押下の検知後即座に、スピーカー７６に警告音の出力を開始させ、当該押下が検知されなくなるまでの間、スピーカー７６に一定の音量Ｖ１で警告音を出力させる。また、ソフトキーＴ１〜Ｔ５の押下が検知された場合、振動駆動部１６は、調整情報記憶部１７に記憶されている調整情報Ｄ１〜Ｄ５を用いて、当該押下の検知後即座に、振動素子７５にＬＣＤ７４への振動の付与を開始させ、当該押下が検知されなくなるまでの間、振動素子７５に一定の振幅Ａ１の振動をＬＣＤ７４へ付与させる。
【００６９】
また、図５の破線部に示すように、調整情報記憶部１７には、ソフトキーＴ６の押下が検知された場合に押下時間検出部１３により検出される押下時間と、上記警告音の音量及び上記振動の振幅と、の関係を示す調整情報Ｄ６が記憶されている。
【００７０】
調整情報Ｄ６は、ソフトキーＴ６の押下が検知された場合、検出される押下時間が予め定められた基準時間ｔ０よりも短い間は、上記警告音の音量及び上記振動の振幅を０にすることを示している。また、調整情報Ｄ６は、ソフトキーＴ６の押下が検知された場合に検出される押下時間が基準時間ｔ０になると、スピーカー７６に、所定の音量Ｖ２で警告音を出力させるとともに、振動素子７５によって所定の振幅Ａ２の振動をＬＣＤ７４へ付与させることを示している。また、調整情報Ｄ６は、ソフトキーＴ６の押下が検知された場合に検出される押下時間が基準時間ｔ０を超えると、押下時間が長くなるほど、スピーカー７６に出力させる警告音の音量及び振動素子７５によってＬＣＤ７４へ付与させる振動の振幅を増大させることを示している。
【００７１】
したがって、ソフトキーＴ６の押下が検知された場合、警告音報知部１５は、調整情報Ｄ６が示すように、押下時間が基準時間ｔ０よりも短い間は、スピーカー７６に警告音を出力させず、押下時間が基準時間ｔ０になると、スピーカー７６に音量Ｖ２の警告音の出力を開始させる。その後、警告音報知部１５は、ソフトキーＴ６の押下が検知されなくなるまでの間、押下時間が長くなるほど、スピーカー７６に出力させる警告音の音量を増大させる。
【００７２】
また、ソフトキーＴ６の押下が検知された場合、振動駆動部１６は、調整情報Ｄ６が示すように、押下時間が基準時間ｔ０よりも短い間は、振動素子７５にＬＣＤ７４へ振動を付与させず、押下時間が基準時間ｔ０になると、振動素子７５に振幅Ａ２の振動をＬＣＤ７４へ付与させる。その後、振動駆動部１６は、ソフトキーＴ６の押下が検知されなくなるまでの間、押下時間が長くなるほど、振動素子７５によってＬＣＤ７４へ付与させる振動の振幅を増大させる。
【００７３】
また、図５の点線部に示すように、調整情報記憶部１７には、ソフトキーＴ７の押下が検知された場合に押下時間検出部１３により検出される押下時間と、上記警告音の音量及び上記振動の振幅と、の関係を示す調整情報Ｄ７が記憶されている。
【００７４】
調整情報Ｄ７は、ソフトキーＴ７の押下が検知された場合、押下時間検出部１３により検出される押下時間が基準時間ｔ０よりも短い間は、上記警告音の音量及び上記振動の振幅を０にすることを示している。また、調整情報Ｄ７は、ソフトキーＴ７の押下が検知された場合、検出される押下時間が基準時間ｔ０になると、スピーカー７６に、所定の音量Ｖ２で警告音を出力させるとともに、振動素子７５によって所定の振幅Ａ２の振動をＬＣＤ７４へ付与させることを示している。また、調整情報Ｄ７は、ソフトキーＴ７の押下が検知された場合、検出される押下時間が基準時間ｔ０を超えると、押下時間が長くなるほど、スピーカー７６に出力させる警告音の音量及び振動素子７５によってＬＣＤ７４へ付与させる振動の振幅を減少させることを示している。
【００７５】
したがって、ソフトキーＴ７の押下が検知された場合、警告音報知部１５は、調整情報Ｄ７が示すように、押下時間が基準時間ｔ０よりも短い間は、スピーカー７６に警告音を出力させず、押下時間が基準時間ｔ０になると、スピーカー７６に音量Ｖ２の警告音の出力を開始させる。その後、警告音報知部１５は、ソフトキーＴ７の押下が検知されなくなるまでの間、押下時間が長くなるほど、スピーカー７６に出力させる警告音の音量を減少させる。
【００７６】
また、ソフトキーＴ７の押下が検知された場合、振動駆動部１６は、調整情報Ｄ７が示すように、押下時間が基準時間ｔ０よりも短い間は、振動素子７５にＬＣＤ７４へ振動を付与させず、押下時間が基準時間ｔ０になると、振動素子７５に振幅Ａ２の振動をＬＣＤ７４へ付与させる。その後、振動駆動部１６は、ソフトキーＴ７の押下が検知されなくなるまでの間、押下時間が長くなるほど、振動素子７５によってＬＣＤ７４へ付与させる振動の振幅を減少させる。
【００７７】
尚、上記基準時間ｔ０は、０以上の任意の値に定めてよい。つまり、基準時間ｔ０を０に定めた場合、ソフトキーＴ６（Ｔ７）の押下が検知されると、警告音報知部１５は、当該押下の検知後即座にスピーカー７６に警告音の出力を開始させる。その後、警告音報知部１５は、ソフトキーＴ６（Ｔ７）の押下が検知されなくなるまでの間、押下時間が長くなるほど、スピーカー７６に出力させる警告音の音量を増大（減少）させる。
【００７８】
同様に、基準時間ｔ０を０に定めた場合、ソフトキーＴ６（Ｔ７）の押下が検知されると、振動駆動部１６は、当該押下の検知後即座に振動素子７５にＬＣＤ７４へ振動を付与させる。その後、警告音報知部１５は、ソフトキーＴ６（Ｔ７）の押下が検知されなくなるまでの間、押下時間が長くなるほど、振動素子７５によってＬＣＤ７４へ付与させる振動の振幅を増大（減少）させる。
【００７９】
上記実施形態の構成によれば、ユーザーが操作指示の入力のためにソフトキーを押下したとき、当該押下の検知に基づいて、警告音の出力が開始され、ＬＣＤ７４が振動される。このため、ユーザーは、当該ソフトキーが示す操作指示の入力に応じて操作画面が切り替えて表示される等して、表示内容が異なったことを認識しなくても、どのソフトキーを押下したのか、つまり、どの操作指示の入力を行ったのかを容易に認識することができる。
【００８０】
また、押下したソフトキーの種類及び押下時間に基づいて、警告音の音量、及び、ＬＣＤ７４へ付与される振動の振幅が調整される。このため、ユーザーの押下したソフトキーが、押下時間に応じて入力値を変化させる操作指示を入力するために押下されるソフトキーＴ６、Ｔ７であった場合、入力した操作指示に応じて入力値を変化させた量を、警告音の音量及びＬＣＤ７４の振動度合に基づいて容易に認識することができる。
【００８１】
また、上記実施形態の構成によれば、ユーザーは、押下時間に応じて入力値を変化させる操作指示を入力するために押下されるソフトキーＴ６、Ｔ７を押下し続けている場合に、警告音の音量の変化によって、押下時間を容易に認識することができる。これにより、ユーザーは、認識した押下時間に応じて、どの程度入力値を変化させたのかを容易に認識することができる。
【００８２】
また、上記実施形態の構成によれば、ユーザーは、押下時間に応じて入力値を変化させる操作指示を入力するために押下されるソフトキーＴ６、Ｔ７を押下し続けている場合に、ＬＣＤ７４の振動度合の変化によって、押下時間を容易に認識することができる。これにより、ユーザーは、認識した押下時間に応じて、どの程度入力値を変化させたのかを容易に認識することができる。
【００８３】
尚、上記第１実施形態において図１乃至図５に示した構成等は単なる一例に過ぎず、本発明を当該第１実施形態に限定する趣旨ではない。以下、第１実施形態とは異なる実施形態について説明する。
【００８４】
（第２実施形態）
第２実施形態は、図２の破線部に示すように、制御部１０が、更に、頻度記憶部１８、及び頻度更新部１９として機能することを特徴とする。尚、第２実施形態において、第１実施形態と同じものは、同一の符号を付し、その説明を省略する。
【００８５】
頻度記憶部１８は、例えば、ＲＡＭの一部の記憶領域により構成されている。頻度記憶部１８には、後述の頻度更新部１９によって、ソフトキーのそれぞれに対応付けて、押下検知部１２により各ソフトキーの押下が検知された頻度が記憶される。頻度更新部１９は、押下検知部１２によりソフトキーの押下が検知された場合に、頻度記憶部１８に記憶されている当該ソフトキーの押下が検知された頻度を更新する。
【００８６】
例えば、ソフトキーの押下が検知された累積回数が多い程、そのソフトキーの押下が検知される頻度が高いと考えられる。つまり、ソフトキーの押下が検知された累積回数は、そのソフトキーの押下が検知された頻度を示すものと考えられる。このため、頻度更新部１９は、押下検知部１２によりソフトキーの押下が検知された場合、当該ソフトキーの押下が検知された累積回数を当該ソフトキーに対応付けて頻度記憶部１８に記憶する。
【００８７】
図６は、各ソフトキーの押下が検知された頻度の一例を示す説明図である。例えば、図６は、ソフトキーＴ１、Ｔ４、Ｔ６の押下が１０回検知されたことにより、頻度更新部１９が、頻度記憶部１８に記憶されている、ソフトキーＴ１、Ｔ４、Ｔ６の押下が検知された累積回数を「１０」に更新したことを示している。
【００８８】
また、ソフトキーＴ２、Ｔ７の押下が５回検知されたことにより、頻度更新部１９が、頻度記憶部１８に記憶されているソフトキーＴ２、Ｔ７の押下が検知された累積回数を「５」に更新したことを示している。
【００８９】
また、ソフトキーＴ３、Ｔ５の押下が１回検知されたことにより、頻度更新部１９が、頻度記憶部１８に記憶されているソフトキーＴ３、Ｔ５の押下が検知された累積回数を、「１」に更新したことを示している。
【００９０】
この場合、例えば、押下検知部１２によりソフトキーＴ１の押下が検知されると、頻度更新部１９は、頻度記憶部１８に記憶されているソフトキーＴ１に対応づけられた累積回数「１０」を読み出して１を累積加算する。そして、頻度更新部１９は、当該累積加算した結果「１１」により、頻度記憶部１８に記憶されているソフトキーＴ１に対応付けられた累積回数を更新する。
【００９１】
尚、頻度更新部１９は、複合機１のシャットダウン時に、頻度記憶部１８に記憶されている情報をＲＯＭに記憶する。一方、頻度更新部１９は、複合機１の初期動作時には、シャットダウン時に記憶した当該情報をＲＯＭから読み出して頻度記憶部１８に記憶する。ただし、これに限らず、頻度更新部１９は、複合機１のシャットダウン時に、頻度記憶部１８に記憶されている情報をＲＯＭに記憶しないようにしてもよい。つまり、複合機１をシャットダウンする度に、頻度記憶部１８に記憶されている情報を削除するようにしてもよい。また、頻度更新部１９は、例えば正午等の予め定められた時点で、頻度記憶部１８に記憶している情報を削除するようにしてもよい。
【００９２】
又は、頻度記憶部１８を、ＥＥＰＲＯＭ等の不揮発性メモリーで構成してもよい。これに合わせて、頻度更新部１９が、上記のように、頻度記憶部１８に記憶している情報を、ＲＯＭから読み出す及びＲＯＭに記憶する処理を行わないように簡素化してもよい。
【００９３】
これに合わせて、第２実施形態では、警告音報知部１５は、頻度記憶部１８に記憶されている累積回数（頻度）が第１累積回数（第３頻度）である場合に出力する警告音の音量を、頻度記憶部１８に記憶されている累積回数が第１累積回数よりも低い第２累積回数（第４頻度）である場合に出力する警告音の音量よりも大きくする。
【００９４】
また、第２実施形態では、振動駆動部１６は、頻度記憶部１８に記憶されている累積回数（頻度）が第３累積回数（第１頻度）である場合にＬＣＤ７４へ付与する振動の振幅を、頻度記憶部１８に記憶されている累積回数が第３累積回数よりも低い第４累積回数（第２頻度）である場合にＬＣＤ７４へ付与する振動の振幅よりも大きくする。
【００９５】
図７は、頻度記憶部１８に記憶されている累積回数と、警告音の音量及び振動の振幅の更新度合と、の関係の一例を示す説明図である。具体的には、図７に示すように、ＲＯＭ等には、頻度記憶部１８に記憶されている累積回数Ｃと、警告音報知部１５及び振動駆動部１６が、それぞれ、警告音の音量及び振動の振幅を更新する度合Ｕ（以下、更新度合Ｕと示す）と、を対応付ける情報が予め記憶されている。
【００９６】
図７においては、予め定められた２つの基準回数「５」、「１０」を用いて、累積回数Ｃが、基準回数「５」未満の範囲と、基準回数「５」以上且つ基準回数「１０」未満の範囲と、基準回数「１０」以上の範囲の３つの範囲に分類されている。そして、累積回数Ｃが基準回数「５」未満の範囲に対応付けて更新度合Ｕ「１．０」が定められている。また、累積回数Ｃが基準回数「５」以上且つ基準回数「１０」未満の範囲に対応付けて更新度合Ｕ「１．２」が定められている。また、累積回数Ｃが基準回数「１０」以上の範囲に対応付けて更新度合Ｕ「１．５」が定められている。このように、累積回数Ｃに対応付けられた更新度合Ｕは、累積回数Ｃが大きくなるほど大きくなるように定められている。
【００９７】
例えば、頻度記憶部１８には、図６に示すように、各ソフトキーＴ１〜Ｔ７の押下が検知された累積回数が記憶されており、ＲＯＭ等には、図７に示すように、頻度記憶部１８に記憶されている累積回数Ｃと、更新度合Ｕと、を対応付ける情報が記憶されているものとする。
【００９８】
そして、押下検知部１２によりソフトキーＴ１又はＴ４の押下が検知されたとする。この場合、ソフトキーＴ１、Ｔ４の押下が検知された累積回数は「１０」（第１頻度、第３頻度）であり、当該累積回数「１０」には、更新度合Ｕ「１．５」が対応付けられている。図８（ａ）は、各ソフトキーＴ１〜Ｔ５の押下が検知された頻度に応じて調整した後の警告音の音量及び振動の振幅の一例を示す説明図である。
【００９９】
したがって、警告音報知部１５は、図８（ａ）に示すように、当該更新度合Ｕ「１．５」を用いて、スピーカー７６に出力させる警告音の音量Ｖ１（図５）を「１．５」倍の音量Ｖ１１に調整する。同様に、振動駆動部１６は、当該更新度合Ｕ「１．５」を用いて、振動素子７５によってＬＣＤ７４へ付与させる振動の振幅Ａ１（図５）を「１．５」倍の振幅Ａ１１に調整する。
【０１００】
または、押下検知部１２によりソフトキーＴ２の押下が検知されたとする。この場合、ソフトキーＴ２の押下が検知された累積回数は「５」（第２頻度、第４頻度）であり、当該累積回数「５」には、更新度合Ｕ「１．２」が対応付けられている。したがって、警告音報知部１５は、図８（ａ）に示すように、当該更新度合Ｕ「１．２」を用いて、警告音の音量Ｖ１（図５）を「１．２」倍の音量Ｖ１２に調整する。同様に、振動駆動部１６は、当該更新度合Ｕ「１．２」を用いて、振動の振幅Ａ１を「１．２」倍の振幅Ａ１２に調整する。
【０１０１】
または、押下検知部１２によりソフトキーＴ３若しくはＴ５の押下が検知されたとする。この場合、ソフトキーＴ３、Ｔ５の押下が検知された累積回数は「１」であり、当該累積回数「１」には、更新度合Ｕ「１」が対応付けられている。したがって、警告音報知部１５は、図８（ａ）に示すように、当該更新度合Ｕ「１．０」を用いて、警告音の音量Ｖ１（図５）を「１．０」倍の音量Ｖ１に調整する。つまり、この場合、警告音報知部１５は、音量Ｖ１を更新しない。同様に、振動駆動部１６は、当該更新度合Ｕ「１．０」を用いて、振動の振幅Ａ１を「１．０」倍の振幅Ａ１に調整する。つまり、この場合、振動駆動部１６は、振幅Ａ１を更新しない。
【０１０２】
または、押下検知部１２によりソフトキーＴ６の押下が検知されたとする。この場合、ソフトキーＴ６の押下が検知された累積回数は「１０」であり、当該累積回数「１０」には、更新度合Ｕ「１．５」が対応付けられている。図８（ｂ）は、ソフトキーＴ６の押下が検知された頻度に応じて調整した後の警告音の音量及び振動の振幅の一例を示す説明図である。
【０１０３】
したがって、警告音報知部１５は、図８（ｂ）に示すように、当該更新度合Ｕ「１．５」を用いて、押下時間が基準時間ｔ０のときに警告音の出力を開始させるときの警告音の音量Ｖ２（図５）を「１．５」倍の音量Ｖ２１に調整する。その後、警告音報知部１５は、押下時間が基準時間ｔ０を超えてからソフトキーＴ６の押下が検知されなくなるまでの間、調整情報Ｄ６（図５）が示す増大率と同じ増大率で、押下時間が長くなるほどスピーカー７６に出力させる警告音の音量を増大させる。
【０１０４】
同様に、振動駆動部１６は、当該更新度合Ｕ「１．５」を用いて、押下時間が基準時間ｔ０のときにＬＣＤ７４への振動の付与を開始させるときの振幅Ａ２（図５）を「１．５」倍の振幅Ａ２１に調整する。その後、振動駆動部１６は、押下時間が基準時間ｔ０を超えてからソフトキーＴ６の押下が検知されなくなるまでの間、調整情報Ｄ６（図５）が示す増大率と同じ増大率で、押下時間が長くなるほど振動素子７５によってＬＣＤ７４へ付与させる振動の振幅を増大させる。
【０１０５】
または、押下検知部１２によりソフトキーＴ７の押下が検知されたとする。この場合、ソフトキーＴ７の押下が検知された累積回数は「５」であり、当該累積回数「５」には、更新度合Ｕ「１．２」が対応付けられている。図８（ｃ）は、ソフトキーＴ７の押下が検知された頻度に応じて調整した後の警告音の音量及び振動の振幅の一例を示す説明図である。
【０１０６】
したがって、警告音報知部１５は、図８（ｃ）に示すように、当該更新度合Ｕ「１．２」を用いて、押下時間が基準時間ｔ０のときに警告音の出力を開始させるときの警告音の音量Ｖ２（図５）を「１．２」倍の音量Ｖ２２に調整する。その後、警告音報知部１５は、押下時間が基準時間ｔ０を超えてからソフトキーＴ７の押下が検知されなくなるまでの間、調整情報Ｄ７（図５）が示す減少率と同じ減少率で、押下時間が長くなるほどスピーカー７６に出力させる警告音の音量を減少させる。
【０１０７】
同様に、振動駆動部１６は、当該更新度合Ｕ「１．２」を用いて、押下時間が基準時間ｔ０のときにＬＣＤ７４への振動の付与を開始させるときの振幅Ａ２（図５）を「１．２」倍の振幅Ａ２２に調整する。その後、振動駆動部１６は、押下時間が基準時間ｔ０を超えてからソフトキーＴ７の押下が検知されなくなるまでの間、調整情報Ｄ７（図５）が示す減少率と同じ減少率で、押下時間が長くなるほど振動素子７５によってＬＣＤ７４へ付与させる振動の振幅を減少させる。
【０１０８】
第２実施形態の構成によれば、ソフトキーの押下が検知された累積回数Ｃが第１累積回数「１０」である場合に出力される警告音の音量Ｖ１１、Ｖ２１は、当該累積回数Ｃが第１累積回数「１０」よりも低い第２累積回数「５」である場合に出力される警告音の音量Ｖ１２、Ｖ２２よりも大きい。つまり、ソフトキーを押下する頻度が高くなるほど、警告音の音量が大きくなる。このため、ユーザーは、入力頻度が高い操作指示の入力を行ったことを認識し易くなる。
【０１０９】
また、ソフトキーの押下が検知された累積回数Ｃが第３累積回数「１０」である場合にＬＣＤ７４へ付与される振動の振幅Ａ１１、Ａ２１は、当該累積回数が第３累積回数「１０」よりも低い第４累積回数「５」である場合にＬＣＤ７４へ付与される振動の振幅Ａ１２、Ａ２２よりも大きい。つまり、ソフトキーを押下する頻度が高くなるほど、ＬＣＤ７４へ付与される振動の振幅が大きくなる。このため、ユーザーは、入力頻度が高い操作指示の入力を行ったことを認識し易くなる。
【０１１０】
尚、第２実施形態において、ＲＯＭ等に記憶されている累積回数Ｃと更新度合Ｕとの関係を示す情報は、図７に示すように、ソフトキーの押下が検知される累積回数Ｃの範囲を段階的に定め（図７においては３段階）、更新度合Ｕを当該各範囲に対応付けて段階的に定めた情報に限定されない。
【０１１１】
図９は、頻度記憶部１８に記憶されている累積回数Ｃと、警告音の音量及び振動の振幅の更新度合Ｕと、の関係の図７とは別の一例を示す説明図である。例えば、ＲＯＭ等に記憶されている累積回数Ｃと更新度合Ｕとの関係を示す情報は、図９に示すように、累積回数Ｃが予め定められた基準累積回数Ｃ０以上の場合に、更新度合Ｕが、累積回数Ｃが大きい程大きくなるように、累積回数Ｃに対応付けて連続的に変化するように定めてもよい。尚、当該基準累積回数Ｃ０は、０以上の任意の値に定めてよい。
【０１１２】
また、調整情報記憶部１７に記憶されている調整情報Ｄ１〜Ｄ７は、図５に示す例に限定されない。例えば、図５に示す調整情報Ｄ６（Ｄ７）は、押下時間が基準時間ｔ０以上になると、押下時間が長くなるほど、スピーカー７６に出力させる警告音の音量及び振動素子７５によってＬＣＤ７４へ付与させる振動の振幅を連続的に増大（減少）させることを示していた。しかし、調整情報Ｄ６（Ｄ７）は、これに代えて、押下時間が基準時間ｔ０以上になると、押下時間が長くなるほど、スピーカー７６に出力させる警告音の音量及び振動素子７５によってＬＣＤ７４へ付与させる振動の振幅を段階的に増大（減少）させることを示すように定めてもよい。
【０１１３】
図１０は、調整情報記憶部１７に記憶されている調整情報Ｄ６、Ｄ７の図５とは別の一例を示す説明図である。具体的には、調整情報Ｄ６（Ｄ７）は、図１０に示すように、押下時間が、基準時間ｔ０以上であり、且つ、基準時間ｔ０よりも長い時間に予め定められた第２基準時間ｔ１よりも短い間は、警告音の音量を所定の音量Ｖ２（図５）にし、振動の振幅を振幅Ａ２（図５）にすることを示すように定めてもよい。そして、調整情報Ｄ６（Ｄ７）は、押下時間が第２基準時間ｔ１を超えると、警告音の音量を所定の音量Ｖ２よりも大きい（小さい）音量Ｖ２３（Ｖ２４）にし、振動の振幅を振幅Ａ２（図５）よりも大きい（小さい）振幅Ａ２３（Ａ２４）にすることを示すように定めてもよい。
【０１１４】
また、調整情報Ｄ７が、調整情報Ｄ６と同様に、押下時間が基準時間ｔ０以上になると、押下時間が長くなるほど、スピーカー７６に出力させる警告音の音量及び振動素子７５によってＬＣＤ７４へ付与させる振動の振幅を増大させることを示すようにしてもよい。
【０１１５】
つまり、この場合、警告音報知部１５は、当該調整情報Ｄ７が示すように、ソフトキーＴ７の押下が検知されると、押下時間が基準時間ｔ０になってから、ソフトキーＴ７の押下が検知されなくなるまでの間、押下時間が長くなるほど、スピーカー７６に出力させる警告音の音量を増大させる。また、振動駆動部１６は、押下時間が基準時間ｔ０になってから、ソフトキーＴ７の押下が検知されなくなるまでの間、押下時間が長くなるほど、振動素子７５によってＬＣＤ７４へ付与させる振動の振幅を増大させる。
【０１１６】
また、上記実施形態において、スピーカー７６及び警告音報知部１５を備えないように簡素化してもよい。または、上記実施形態において、振動素子７５及び振動駆動部１６を備えないように簡素化してもよい。
【０１１７】
また、本発明に係る表示制御装置１００は、上記複合機１に搭載されるものに限られず、他の電子機器、例えば、複写機、プリンター装置及びファクシミリ装置等の画像形成装置、スキャナー装置、パーソナルコンピュータ、携帯電話、電子レンジ、洗濯機、カーナビゲーション装置、ゲーム機等、あらゆる電子機器に適用が可能である。
【符号の説明】
【０１１８】
１  複合機（電子機器）
７  操作部（表示制御装置）
１０  制御部（表示制御装置）
１１  表示制御部
１２  押下検知部
１３  押下時間検出部
１４  指示受付部
１５  警告音報知部
１６  振動駆動部
１７  調整情報記憶部
１８  頻度記憶部
１９  頻度更新部
７１  表示装置
７４  ＬＣＤ（表示部）
７５  振動素子
７６  スピーカー
１００  表示制御装置
Ａ１、Ａ２、Ａ１１、Ａ１２、Ａ２１、Ａ２２、Ａ２３  振幅
Ｃ  累積回数（頻度）
Ｔ１、Ｔ２、Ｔ３、Ｔ４、Ｔ５、Ｔ６、Ｔ７  ソフトキー（指示画像）
Ｖ１、Ｖ２、Ｖ１１、Ｖ１２、Ｖ２１、Ｖ２２、Ｖ２３  音量
【図１】
0005953283.tif 000002
【図２】
0005953283.tif 000003
【図３】
0005953283.tif 000004
【図４】
0005953283.tif 000005
【図５】
0005953283.tif 000006
【図６】
0005953283.tif 000007
【図７】
0005953283.tif 000008
【図８】
0005953283.tif 000009
【図９】
0005953283.tif 000010
【図１０】
0005953283.tif 000011